(57)【要約】【課題】本発明は主原料を植物精油及びその誘導体とし、インキ洗浄性、作業性、保存安定性に優れ、洗浄対象に対する膨潤等の影響、臭気、毒性が少なく、また植物由来の原料を主成分とすることにより、脱石油溶剤化及びそれに伴う環境影響低減への対応が可能な印刷インキ洗浄液の提供を課題とする。【解決手段】本発明の印刷インキ洗浄組成物は、植物精油からの誘導体であるパラメンタン又はピナンあるいはその混合物を主成分として用いる印刷インキ洗浄組成物である。【選択図】        なし【特許請求の範囲】
【請求項１】
パラメンタン又はピナンあるいはその混合物を主成分とする印刷インキ洗浄用組成物。
【請求項２】
パラメンタン又はピナンあるいはその混合物が９０質量％以上である請求項１に記載の印刷インキ洗浄用組成物。
【請求項３】
パラメンタン又はピナンあるいはその混合物を含有し、パラメンタン又はピナンあるいはその混合物の合計が全体量に対し５０質量％以上であり、残りが有機溶剤である印刷インキ洗浄用組成物。
【請求項４】
パラメンタン又はピナンあるいはその混合物を全体量に対し５０質量％以上含有し、残りが含酸素溶剤であり、洗浄対象が紫外線硬化型インキである印刷インキ洗浄用組成物。
【請求項５】
全体量に対し３０〜６０質量％の油分を含有し、油分の５０質量％以上がパラメンタン又はピナンあるいはその混合物であり、残りの油分が有機溶剤であり、界面活性剤の含有量が全体量に対し０．１〜１５質量％で、残りが水である印刷インキ洗浄用組成物。
【発明の詳細な説明】
【０００１】
【発明が属する技術分野】
本発明は印刷インキ洗浄用組成物に関する。
【０００２】
【従来の技術】
従来は、インキ用洗浄剤として、ミネラルスピリット、灯油等の石油系炭化水素油が使用されてきた。特にブランケットでは、それに加えトリクロルエチレン等の塩素系溶剤が使用されてきた。
【０００３】
灯油等の石油系炭化水素溶剤は、被洗浄体への影響・引火性・毒性などの問題がある。また、引火性等の問題を解決するために高沸点の炭化水素油を使用すると、洗浄性・乾燥性が満足されない。
【０００４】
塩素系溶剤は洗浄効果は高いが、環境面・人体への影響等で好ましくない。
【０００５】
石油系炭化水素溶剤はいうまでもないが塩素系溶剤もまた石油由来の成分であり、将来の枯渇の懸念、石油精製に伴う大気汚染、酸性雨、地球温暖化等の地球環境への影響の面からも好ましくない。
【０００６】
そこで、石油由来成分に代わり動植物油由来の成分からなる洗浄剤も検討されてきた。動植物油由来の成分としては、脂肪酸トリグリセリドおよびその誘導体である脂肪酸エステル、テルペン類等があげられる。
【０００７】
脂肪酸トリグリセリド、脂肪酸エステルは乾燥性が悪く、洗浄性が不十分であり、インキ洗浄には適さない。
【０００８】
テルペン類の多くは強い芳香を有し、実際のインキ洗浄作業には大きな支障となる。また、テルペン類は反応性を有するものも多く、空気との接触で酸化重合による樹脂化を起こすものもある。
【０００９】
テルペン類を用いたものとして、例えば、特開昭６０−１９７７９７には揮発性テルペンを用いたゲル状洗浄液、特開平３−６３００にはテルペン炭化水素と活性剤からなる油溶性洗浄液、特開平９−５９６９５にはテルペン系化合物を用いたエマルションをなす印刷インキ洗浄液などがあげられているが、いずれも、臭気への配慮がなされず印刷インキ洗浄剤としての使用は困難である。また、特開平９−３１００９５ではモノテルペンの水素添加物を用いたエマルジョン型洗浄組成物があげられているが、印刷インキ洗浄に対しては、洗浄力・乾燥性が不足である。
【００１０】
【発明が解決しようとする課題】
主原料を植物精油及びその誘導体とし、インキ洗浄性、作業性、保存安定性に優れ、洗浄対象に対する膨潤等の影響、臭気、毒性が少なく、また植物由来の原料を主成分とすることにより、脱石油溶剤化及びそれに伴う環境影響低減への対応が可能な印刷インキ洗浄液の提供を課題とする。
【００１１】
【課題を解決するための手段】
本発明者は、上記課題を解決するために鋭意研究を重ねた結果、パラメンタン又はピナンあるいはその混合物を主成分として用いることで解決ができることを見いだした。本発明はこのような知見に基づき完成されたものである。
１．パラメンタン又はピナンあるいはその混合物を主成分とする印刷インキ洗浄用組成物。
２．パラメンタン又はピナンあるいはその混合物が９０質量％以上である上記１に記載の印刷インキ洗浄用組成物。
３．パラメンタン又はピナンあるいはその混合物を含有し、パラメンタン又はピナンあるいはその混合物の合計が全体量に対し５０質量％以上であり、残りが有機溶剤である印刷インキ洗浄用組成物。
４．パラメンタン又はピナンあるいはその混合物を全体量に対し５０質量％以上含有し、残りが含酸素溶剤であり、洗浄対象が紫外線硬化型インキである印刷インキ洗浄用組成物。
５．全体量に対し３０〜６０質量％の油分を含有し、油分の５０質量％以上がパラメンタン又はピナンあるいはその混合物であり、残りの油分が有機溶剤であり、界面活性剤の含有量が全体量に対し０．１〜１５質量％で、残りが水である印刷インキ洗浄用組成物。
【００１２】
【発明の実施の形態】
本発明の印刷インキ洗浄用組成物は、パラメンタン又はピナンを有効成分として含有する。これらは、１種単独で又は２種混合して使用される。
【００１３】
パラメンタン及びピナンは、製造行程、精製度合いにより、少量のテルペン系炭化水素、アルデヒド、アルコール、エーテルなどの化合物が含まれる場合があるが、臭気及び保存時の安定性に大きく影響しないものであれば問題はない。
【００１４】
本発明の組成物は、更に界面活性剤を含有していてもよい。
【００１５】
界面活性剤としては、例えば、陰イオン系界面活性剤、陽イオン系界面活性剤、非イオン系界面活性剤等を挙げることができ、これらは１種単独で、あるいは２種以上を組み合わせて用いることができる。
【００１６】
陰イオン系界面活性剤としては、例えば、脂肪酸塩類、アビエチン酸塩類、ヒドロキシアルカンスルホン酸塩類、アルカンスルホン酸塩類、ジアルキルスルホコハク酸塩類、直鎖又は分岐鎖のアルキルベンゼンスルホン酸塩類、アルキルナフタレンスルホン酸塩類、アルキルフェノキシポリオキシエチレンプロピルスルホン  酸塩類、ポリオキシエチレンアルキルスルホフェニルエーテル塩類、Ｎ  −メチル−Ｎ  −オレイルタウリンナトリウム塩類、Ｎ  −アルキルスルホコハク酸モノアミド二ナトリウム塩類、石油スルホン酸塩類、硫酸化ヒマシ油、硫酸化牛脂油、脂肪酸アルキルエステルの硫酸エステル塩類、アルキル硫酸エステル塩類、ポリオキシエチレンアルキルエーテル硫酸エステル塩類、脂肪酸モノグリセリド硫酸エステル塩類、ポリオキシエチレンアルキルフェニルエーテル硫酸エステル塩類、ポリオキシエチレンスチリルフェニルエーテル硫酸エステル塩類、アルキル燐酸エステル塩類、ポリオキシエチレンアルキルエーテル燐酸エステル塩類、ポリオキシエチレンアルキルフェニルエーテル燐酸エステル塩類、スチレン−無水マレイン酸共重合物の部分ケン化物類、オレフィン−無水マレイン酸共重合物の部分ケン化物類、ナフタレンスルホン酸塩ホルマリン縮合物類等が挙げられる。
【００１７】
これら陰イオン系界面活性剤の中でも、ジアルキルスルホコハク酸塩類、直鎖又は分岐鎖のアルキルベンゼンスルホン酸塩類及びアルキル硫酸エステル塩類が好ましい。
【００１８】
陽イオン系界面活性剤としては、例えば、アルキルアミン塩類、第四級アンモニウム塩類等があげられる。
【００１９】
非イオン系界面活性剤としては、例えば、ポリオキシエチレンアルキルエーテル類、ポリオキシエチレンアルキルフェニルエーテル類、ポリオキシエチレンポリスチリルフェニルエーテル類、ポリオキシエチレンポリオキシプロピレンアルキルエーテル類、グリセリン脂肪酸部分エステル類、ソルビタン脂肪酸部分エステル類、ペンタエリスリトール脂肪酸部分エステル類、プロピレングリコールモノ脂肪酸エステル類、ショ糖脂肪酸部分エステル類、ポリオキシエチレンソルビタン脂肪酸部分エステル類、ポリオキシエチレンソルビトール脂肪酸部分エステル類、ポリエチレングリコール脂肪酸エステル類、ポリグリセリン脂肪酸部分エステル類、ポリオキシエチレン化ひまし油類、ポリオキシエチレングリセリン脂肪酸部分エステル類、脂肪酸ジエタノールアミド類、Ｎ  ，Ｎ  −ビス−２  −ヒドロキシアルキルアミン類、ポリオキシエチレンアルキルアミン類、トリエタノールアミン脂肪酸エステル類、トリアルキルアミンオキシド類等が挙げられる。
【００２０】
これら非イオン系界面活性剤の中でもポリオキシエチレンアルキルフェニルエーテル類、ポリオキシエチレン−ポリオキシプロピレンブロックポリマー類等が好ましい。
【００２１】
本発明組成物のより具体的な組成を以下に示す。
【００２２】
本発明組成物の一実施態様は、可燃性であるが、環境、安全等を満足させる油分、溶剤類の混合物であり、要求される洗浄性を考慮した油分１００質量％の洗浄剤組成物である。
【００２３】
上記油分１００質量％洗浄剤組成物において、パラメンタン又はピナンもしくはその混合物の含有量は、洗浄剤組成物の全質量中に５０  〜１００質量％である。パラメンタン及びピナンは天然植物由来の油分であり、脱石油溶剤化の考えから環境面で満足できる洗浄剤組成物となり得る。
【００２４】
上記油分１００質量％洗浄剤組成物において、一部を有機溶剤に置き換えてもよい。そのような有機溶剤としては、印刷版の画像部に対して影響が少なく、環境面  、安全面等で問題のない有機溶剤を広く使用できる。
【００２５】
斯かる有機溶剤としては、例えば、パラフィン類、シクロパラフィン類、オレフィン類、アルコール類、含窒素溶剤、含酸素溶剤等が挙げられる。
【００２６】
鎖状パラフィンとしては石油エーテル、イソオクタン、ｎ−ペンタン、ｎ−ヘキサン、ｎ−ヘプタン、ｎ−オクタン、ｎ−ノナン、ｎ−デカン、ｎ−ドデカン、ｎ−ウンデカン、ｎ−トリデカン、ｎ−テトラデカン、ｎ−ペンタデカン、２−メチルブタン、２−メチルペンタン、２−メチルヘキサン、２−メチルヘプタン、２−メチルオクタン、２−メチルノナン、２−メチルデカン、２−メチルドデカン、２−メチルウンデカン、２−メチルトリデカン、２−メチルテトラデカン、２，２−ジメチルプロパン、２，２−ジメチルブタン、２，２−ジメチルペンタン、２，２−ジメチルヘキサン、２，２−ジメチルヘプタン、２，２−ジメチルオクタン、２，２−ジメチルノナン、２，２−ジメチルデカン、２，２−ジメチルドデカン、２，２−ジメチルウンデカン、２，２−ジメチルトリデカン、２，３−ジメチルブタン、２，３−ジメチルペンタン、２，３−ジメチルヘキサン、２，３−ジメチルヘプタン、２，３−ジメチルオクタン、２，３−ジメチルノナン、２，３−ジメチルデカン、２，３−ジメチルドデカン、２，３−ジメチルウンデカン、２，３−ジメチルトリデカン、２，４−ジメチルペンタン、２，４−ジメチルヘキサン、２，４−ジメチルヘプタン、２，４−ジメチルオクタン、２，４−ジメチルノナン、２，４−ジメチルデカン、２，４−ジメチルドデカン、２，４−ジメチルウンデカン、２，４−ジメチルトリデカン、３−エチルペンタン、３−エチルヘキサン、３−エチルヘプタン、３−エチルオクタン、３−エチルノナン、３−エチルデカン、３−エチルドデカン、３−エチルウンデカン、３−エチルトリデカンおよび鎖状モノテルペン炭化水素であるミルセンの水素添加物である２，６−ジメチルオクタンなどの炭素数が５から１５の直鎖または分岐鎖状パラフィンおよびこれらの混合物が挙げられる。
【００２７】
シクロパラフィンとしてはシクロペンタン、シクロヘキサンおよびそれらのアルキル置換体であるメチルシクロペンタン、メチルシクロヘキサン、１，１−ジメチルシクロペンタン、１，１−ジメチルシクロヘキサン、１，２−ジメチルシクロペンタン、１，２−ジメチルシクロヘキサン、１，３−ジメチルシクロペンタン、１，３−ジメチルシクロヘキサン、１，４−ジメチルシクロヘキサン、エチルシクロペンタン、エチルシクロヘキサン、１−エチル１−メチルシクロペンタン、１−エチル１−メチルシクロヘキサン、１−エチル−２−メチルシクロペンタン、１−エチル−２−メチルシクロヘキサン、１−エチル−３−メチルシクロペンタン、１−エチル−３−メチルシクロヘキサン、１−エチル−４−メチルシクロヘキサン、１，１−ジエチルシクロペンタン、１，１−ジエチルシクロヘキサン、１，２−ジエチルシクロペンタン、１，２−ジエチルシクロヘキサン、１，３−ジエチルシクロペンタン、１，３−ジエチルシクロヘキサン、１，４−ジエチルシクロヘキサン、１−メチル−１−イソプロピルシクロペンタン、１−メチル−１−イソプロピルシクロヘキサン、１−メチル−２−イソプロピルシクロペンタン、１−メチル−２−イソプロピルシクロヘキサン、１−メチル−３−イソプロピルシクロペンタン、１−メチル−３−イソプロピルシクロヘキサン、１，１−ジイソプロピルシクロペンタン、１，１−ジイソプロピルシクロヘキサン、１，２−ジイソプロピルシクロペンタン、１，２−ジイソプロピルシクロヘキサン、１，３−ジイソプロピルシクロペンタン、１，３−ジイソプロピルシクロヘキサン、１，４−ジイソプロピルシクロヘキサンなどの炭素数が５から１５の環状パラフィンと環式モノテルペンの水素添加物であるボルナン、カラン、フェンカン、メンタン、ツジャンおよびこれらの混合物、さらには灯油など石油留分の水素添加物などが挙げられる。
【００２８】
オレフィンとしては１−ペンテン、１−ヘキセン、１−ヘプテン、１−オクテン、１−ノネン、１−デケン、１−ドデケン、１−ウンデケン、１−トリデケン、１−テトラデケン、１−ペンタデケン、２−メチル−２−ブテン、２−メチル−２−ペンテン、２−メチル−２−ヘキセン、２−メチル−２−ヘプテン、２−メチル−２−オクテン、２−メチル−２−ノネン、２−メチル−２−デケン、２−メチル−２−ドデケン、２−メチル−２−ウンデケン、２−メチル−２−トリデケン、２−メチル−２−テトラデケン、メチルシクロペンテン、メチルシクロヘキセン、１−メチル−１−シクロペンテン、１−メチル−１−シクロヘキセン、ｐ−メンテン、ｐ−メンタジエン、ピネン、カレン等、上記の鎖状パラフィンあるいはシクロパラフィンに対応する２重結合が１から３の炭化水素およびこれらの混合物が挙げられる。
【００２９】
芳香族炭化水素としては１，２，４−トリメチルベンゼン、ジエチルベンゼン、イソプロピルベンゼン、メチルイソプロピルベンゼンなどが挙げられる。
【００３０】
アルコールとしてはメチルアルコール、エチルアルコール、ｎ−プロピルアルコール、ｉｓｏ−プロピルアルコール、１−ブチルアルコール、２−ブチルアルコール、ｉｓｏ−ブチルアルコール、ｔ−ブチルアルコール、アミルアルコール、３−メトキシ−３−メチル−１−ブタノールなどが挙げられる。
【００３１】
含窒素化合物としてはＮ−メチルピロリドン、Ｎ，Ｎ−ジメチルアセトアミド、１，３−ジメチル−２−イミダゾリジノン、モノエチルアミン、ジエチルアミン、トリエチルアミン、モノエタノールアミン、ジエタノールアミン、トリエタノールアミンなどが挙げられる。
【００３２】
エーテルとしてはジエチルエーテル、ジ−ｎ−プロピルエーテル、ジ−ｉｓｏ−プロピルエーテル、ジ−ｎ−ブチルエーテル、ジ−ｉｓｏ−ブチルエーテル、ジ−ｔ−ブチルエーテル、ジフェニルエーテル、エチルプロピルエーテル、エチルブチルエーテル、プロピルブチルエーテルなどの鎖状エーテルとテトラヒドロピラン、１，３−ジオキソランなどの環状エーテルおよび、エチレングリコールモノｎ−プロピルエーテル、エチレングリコールモノｔ−ブチルエーテル、ジエチレングリコールモノｎ−ブチルエーテル、ジエチレングリコールモノエチルエーテル、プロピレングリコールモノメチルエーテル、プロピレングリコールモノエチルエーテル、プロピレングリコールモノｎ−ブチルエーテル、プロピレングリコールｎ−ブチルエーテル、プロピレングリコールモノイソブチルエーテル、などの多価アルコールエーテルが挙げられる。
【００３３】
エステルとしては酢酸、プロピオン酸、酪酸、乳酸、ヒドロキシ酪酸のメチル、エチル、プロピル、ブチルエステル、γ−ブチロラクトンなどが挙げられる。
【００３４】
ケトンとしてはジエチルケトン、ジ−ｎ−プロピルケトン、ジ−ｉｓｏ−プロピルケトン、ジ−ｎ−ブチルケトン、ジ−ｉｓｏ−ブチルケトン、ジ−ｔ−ブチルケトン、ベンゾフェノン、エチルプロピルケトン、エチルブチルケトン、プロピルブチルケトンなどの鎖状ケトンとシクロペンタノン、アルキルシクロペンタノン、シクロヘキサノン、アルキルシクロヘキサノンなどの環状ケトンが挙げられる。
【００３５】
このような油分１００％洗浄剤の組成は、パラメンタン又はピナンもしくはその混合物を５０質量％以上含有し、残りが有機溶剤である。より好ましくはパラメンタン又はピナンもしくはその混合物が全体量に対し、７０質量％以上、特に好ましくは９０質量％以上含有し、残りが有機溶剤である。
【００３６】
また、特に洗浄対象が紫外線硬化型インキである場合、紫外線硬化型インキの溶解性が酸化硬化型インキのものと大きく異なるため、上述した有機溶剤の中から、特に含酸素溶剤を選ぶことにより、優れた洗浄性を得ることができる。
【００３７】
パラメンタン又はピナンあるいはその混合物が５０％を下回る場合は、洗浄性、乾燥性の低下、臭気の増大または、洗浄対象への悪影響等がある。
【００３８】
本発明組成物の他の実施態様は、エマルジョンとなる洗浄剤組成物である。
【００３９】
この洗浄剤組成物の組成は、例えば、パラメンタン又はピナンもしくはその混合物を３０〜６０質量％、界面活性剤０．１〜１５質量％及び残りが水である。
【００４０】
上記洗浄剤組成物のより好ましい組成は、例えば、パラメンタン又はピナンもしくはその混合物を３０  〜６０質量％、界面活性剤０．５〜５質量％及び残りが水である。
【００４１】
実施態様をエマルジョンにすることにより、水溶性の汚れも同時に除去できる。
【００４２】
洗浄対象により、Ｏ／Ｗ型・Ｗ／Ｏ型を適宜選択することが好ましい。
【００４３】
溶剤成分としては、洗浄性、乾燥性、環境面からパラメンタンおよびピナンもしくはその混合物が主成分であることが好ましいが、印刷版の画像部に対して影響が少なく、環境面  、安全面等で問題のない有機溶剤であれば、一部を置き換えてもよい。
【００４４】
斯かる洗浄剤組成物に配合される界面活性剤としては、上述した陰イオン系界面活性剤、陽イオン系界面活性剤、非イオン系界面活性剤等でよく、環境面を配慮すると、生分解性の高い界面活性剤であるのが好ましい。これらの界面活性剤は、パラメンタン又はピナンもしくはその混合物を水に乳化するための乳化剤として作用する他、それ自身印刷インキ洗浄作用を有している。
【００４５】
本発明の印刷インキ洗浄用組成物を製造するに際しては、特に限定がなく、公知の製造方法を広く適用することができる。例えば、モノテルペン系炭化水素及びその他の成分を常法に従い混合すればよい。
【００４６】
本発明の印刷インキ洗浄用組成物の使用にあたっては、特に限定がなく、従来の印刷インキ洗浄用組成物と同じように使用するのがよい。例えばブランケット洗浄の場合、スポンジ、ウエス等に印刷インキ洗浄用組成物を含ませ、洗浄が必要なブランケットを擦って洗浄し、乾燥させるのがよい。
【００４７】
以下に実施例をあげて、本発明をより一層明らかにする、尚、以下において単に「部」とあるのは「質量部」を意味する。
【００４８】
実施例１
パラメンタン１００部を本発明の洗浄剤組成物とした。この洗浄剤組成物を「洗浄剤Ａ」という。
【００４９】
実施例２
ピナン１００部を本発明の洗浄剤組成物とした。この洗浄剤組成物を「洗浄剤Ｂ」という。
【００５０】
実施例３
パラメンタン５０部とピナン５０部とを配合して、本発明の洗浄剤組成物を製造した、この洗浄剤組成物を「洗浄剤Ｃ」という。
【００５１】
実施例４
パラメンタン６０部とナフテゾール１６０（石油留分の水素添加物  新日本石油化学株式会社製）４０部を配合して、本発明の洗浄剤組成物を製造した、この洗浄剤組成物を「洗浄剤Ｄ」という。
【００５２】
実施例５
パラメンタン６０部と３−メチル−３−メトキシ−１−ブタノール４０部を配合して、本発明の洗浄剤組成物を製造した、この洗浄剤組成物を「洗浄剤Ｅ」という。
【００５３】
実施例６
パラメンタン３０部、ノニオンＯＰ−８３ＲＡＴ（セスキオレイン酸ソルビタンエステル、日本油脂株式会社製）５部及び水６５部を配合して、本発明の洗浄剤組成物を製造した、この洗浄剤組成物を「洗浄剤Ｆ」という。
【００５４】
実施例７
パラメンタン６０部、ノニオンＯＰ−８３ＲＡＴ（セスキオレイン酸ソルビタンエステル、日本油脂株式会社製）５部及び水３５部を配合して、本発明の洗浄剤組成物を製造した、この洗浄剤組成物を「洗浄剤Ｇ」という。
【００５５】
比較例１
ジペンテン１００部を比較のための洗浄剤組成物とした。この洗浄剤組成物を「洗浄剤ａ」という。
【００５６】
比較例２
パラメンタン３０部とナフテゾール１６０（石油留分の水素添加物  新日本石油化学株式会社製）７０部を配合して、比較のための洗浄剤組成物を製造した、この洗浄剤組成物を「洗浄剤ｂ」という。
【００５７】
比較例３
パラメンタン３０部と３−メチル−３−メトキシ−１−ブタノール７０部を配合して、比較のための洗浄剤組成物を製造した、この洗浄剤組成物を「洗浄剤ｃ」という。
【００５８】
試験例１
上記で得られた洗浄剤Ａ〜Ｇ及び洗浄剤ａ〜ｃにつき、インキ洗浄性、紙粉の洗浄性、乾燥性、臭気、保存安定性を調べた。
【００５９】
１）インキの洗浄性：インキの洗浄性は、酸化硬化型インキ及び紫外線硬化型インキが洗浄剤に溶解するかどうかを調べることで評価した。インキが洗浄剤に完全に溶解する場合を○、インキが洗浄剤に分散する場合を△、インキが洗浄剤に溶解も分散もしない場合を×とした。
【００６０】
２）紙粉の洗浄性：印刷後にブランケットゴムに付着した紙粉を、それぞれの洗浄剤を含ませた布で拭き取り、完全に除去できるまでの拭き取り回数で評価し、拭き取り回数が１０回までのものを○、１０〜１５回のものを△、１５回以上のものを×とした。
【００６１】
３）乾燥性：それぞれの洗浄剤をガラス皿に０．３ｇ入れ、室温で放置し、その重量減量を測定し、２時間以内に全量に対し８０％以上の減量があったものを○、６０〜８０％の減量があったものを△、減量が６０％以下であったものを×とした。
【００６２】
４）臭気：インキ洗浄を実際に行う作業者の内、２０代から５０代までの各年代から３人ずつ抽出した合計１２人にそれぞれの洗浄剤で洗浄した場合の臭気官能試験を行った。作業に支障がないものを○、臭気が著しく使用が困難なものを×とした。
【００６３】
５）保存安定性：洗浄剤を缶に入れて３ヶ月間、室温で保存したときの変化を目視にて判断し、変質がないものを○、樹脂化が見られたものを×とした。
【００６４】
これらの結果をまとめて表１に示す。
【００６５】
【表１】
2005023196.tif 000002
【００６６】
【発明の効果】
本発明のインキ洗浄剤はインキ洗浄において優れた性能を有し、乾燥性も良く、臭気も穏やかで、保存安定性にも優れており、しかも、印刷業界の脱石油溶剤化の流れに沿い植物由来の原料を利用することで、石油精製による大気汚染、酸性雨、地球温暖化等の環境問題と資源の枯渇問題への対応が可能であり、産業上の利用価値が大きい。